(57)【要約】【課題】外出先等に持ち運び易いコンパクトな形状で、軽量であり、さらに、容易に大量生産を行うことの可能な携帯電子機器用充放電器を提供することを目的とする。【解決手段】電気エネルギを蓄える電気二重層コンデンサ部２と、電圧電流制御器３とを、同一ケース１に内蔵している。また、外装缶を有さない電気二重層コンデンサ部２は、複数の帯板状正電極板４と、複数の帯板状負電極板５とを、交互に積層した偏平直方体形状である。【選択図】  図２
2004336931.tif 000002
【特許請求の範囲】
【請求項１】
電気エネルギを蓄える外装缶を有さない電気二重層コンデンサ部（２）と、電圧電流制御器（３）とを、同一ケース（１）に内蔵したことを特徴とする携帯電子機器用充放電器。
【請求項２】
外装缶を有さない上記電気二重層コンデンサ部（２）は、複数の帯板状正電極板（４）と、複数の帯板状負電極板（５）とを、交互に積層した偏平直方体形状である請求項１記載の携帯電子機器用充放電器。
【請求項３】
ケース（１）は偏平弁当箱形状で、電力供給部（１２）から電力を入力する２極の入力端子板（７）（７）が、上記ケース（１）の左右側面に付設された請求項１又は２記載の携帯電子機器用充放電器。
【請求項４】
ケース（１）は偏平弁当箱形状で、電力供給部（１２）から電力を入力する２極の入力端子板（７）（７）が、上記ケース（１）の底面に付設された請求項１又は２記載の掃除用粘着ロール。
【発明の詳細な説明】
【０００１】
【発明の属する技術分野】
本発明は、携帯電子機器用充放電器に関する。
【０００２】
【従来の技術】
従来の充放電器は、陽極板と陰極板とが、極めて薄いセパレータを介して渦巻き状に巻き取られていて、短円柱形状の外装缶に収めたものが知られている（例えば、特許文献１参照）。上記特許文献１のものは、ニッケル・カドミウム蓄電池であるが、電気二重層コンデンサから成る充放電器も同様に短円柱形状の外装缶内に渦巻き状に陽極板と陰極板を積層状として、収納した構造であった。
【０００３】
【特許文献１】
特開平７−１８３０４８号公報
【０００４】
【発明が解決しようとする課題】
このように短円柱形状の従来の（充放電器としての）電気二重層コンデンサを、携帯に便利なように偏平弁当箱形状や直方体箱形状の外ケースに収納して使用されていた。従って、二重のケースを必要として、構造が複雑化すると共に、無駄な空隙が外ケースと内ケース（二重層コンデンサ外装缶）との間に形成されて容積が増加するといった問題があり、重量アップとコストアップの原因にもなっていた。また、出力電圧・出力電流の変動を制御する装置が組み込まれていないため、例えば外出先等で電子機器に接続する場合、別途で電圧電流制御装置を携帯する必要があり、外部への持ち運びに不便である。
【０００５】
そこで、本発明は、外出先等に持ち運び易いコンパクトな形状で、軽量であり、さらに、容易に大量生産を行うことの可能な携帯電子機器用充放電器を提供することを目的とする。
【０００６】
【課題を解決するための手段】
上述の目的を達成するために、本発明に係る携帯電子機器用充放電器は、電気エネルギを蓄える外装缶を有さない電気二重層コンデンサ部と、電圧電流制御器とを、同一ケースに内蔵している。
また、外装缶を有さない上記電気二重層コンデンサ部は、複数の帯板状正電極板と、複数の帯板状負電極板とを、交互に積層した偏平直方体形状である。
【０００７】
また、ケースは偏平弁当箱形状で、電力供給部から電力を入力する２極の入力端子板が、上記ケースの左右側面に付設されている。
あるいは、ケースは偏平弁当箱形状で、電力供給部から電力を入力する２極の入力端子板が、上記ケースの底面に付設されている。
【０００８】
【発明の実施の形態】
以下、実施の形態を示す図面に基づき、本発明を詳説する。
【０００９】
図１は本発明の携帯電子機器用充放電器の実施の一形態を示す斜視図で、図２は断面平面図である。本発明に係る充放電器１０は、電気エネルギを蓄える裸状の───外装缶を有さない───電気二重層コンデンサ部２と、電気二重層コンデンサ部２からの出力電圧の変動を平準化して出力電圧として外部へ出力するための電圧電流制御器３とを、同一のケース１に（一体状に）内蔵したものである。さらに、制御回路８と、危険防止回路９も、上記のケース１に（一体状に）内蔵され、図示省略するが、内蔵された夫々の部品は、配線，回路等にて接続されている。なお、上記電圧電流制御器３としては、定電圧・定電流を出力するためのものであって、ＤＣ−ＤＣコンバータ及びツェナーダイオード（ＩＣ）等から成る。
【００１０】
具体的には、ケース１は、前後方向細長の偏平弁当箱形状で、ケース１の前方部１ａは、左右の角部をアール状に弯曲形成されている。ケース１の内部の前方は、電圧電流制御器３の出力側に相当する出力部１８が形成されている。そして、開口凹部１９が、ケース１の前方部１ａに形成されていて、携帯電話や電動髭剃器等の電子機器に接続される端子部１１を、開口凹部１９に差し込めば、出力部１８に接続可能である。
【００１１】
従来のような外装缶を省略して、裸状の電気二重層コンデンサ部２は、複数の帯板状正電極板４…と、複数の帯板状負電極板５…とを、絶縁紙６…を間に挟んで交互に積層した偏平直方体形状である。なお、図２では理解し易いように、正負電極板４，５及び絶縁紙６の相互間に間隙を大きく描いているが、実際は、この間隙が生じないように積層されている。正電極板４…，負電極板５…，絶縁紙６…は、ケース１の底面に対して垂直状に、かつケース１の前後方向へ平行に配設されている。そして、接続板１７が、全ての帯板状正電極板４…の端部に（共通に）接続してあり、別の接続板１７が、全ての帯板状負電極板５…の端部に（共通に）接続している。
【００１２】
ケース１の前方寄りの左右側面には、電力を入力する細長帯板状の２極の入力端子板７，７が付設されている。正電極板４…の端部に付設した共通の接続板１７が連結された入力端子板７が、正極側７ａであり、一方、負電極板５…の端部に付設した共通の接続板１７が連結された入力端子板７が、負極側７ｂである。
【００１３】
図３は他の実施の形態を示す断面平面図で、図１，図２に図示した電気二重層コンデンサ部２との相違点は、正電極板４…，負電極板５…，絶縁紙６…が、ケース１の左右方向へ平行に配設されている点である。なお、この図３でも、理解し易いように、正負電極板４，５及び絶縁紙６の相互間に間隙を大きく描いているが、実際は、この間隙が生じないように積層されている。
【００１４】
ここで、電気二重層コンデンサ部２の製法の一例を説明すると、図４に示すように複数の正電極板４…の材料となるシート体４Ａと、複数の負電極板５…の材料となるシート体５Ａとを、絶縁紙６…の材料となるシート体６Ａを中間に挟んで交互に積層する。シート体４Ａ，５Ａ，６Ａは、いずれも十分に面積の大きいものである。そして、（図示省略の）切断機のカッター刃等で、切断線１６のように切断すると、帯板状正電極板４…，帯板状負電極板５…，帯板状絶縁紙６…から成る偏平直方体形状の上記裸状の電気二重層コンデンサ部２が製造される。そして、図５に図示したように、電気二重層コンデンサ部２の正電極板４と負電極板５に、別々の接続板１７，１７を付設する。
【００１５】
図６，図７に示すように、ケース１は、カバン，バッグ等に入れて持ち運べる大きさで、例えば、長さ寸法Ｄを１０ｃｍ乃至１５ｃｍに、幅寸法Ｗを４ｃｍ乃至７ｃｍに、高さ寸法Ｈを２ｃｍ乃至４ｃｍに設定する。なお、図６に２点鎖線にて示すように、このケース１は、上下に２分割構造として、合せ目２２にて合体化して、中空収納室を（図２と図３のように）形成するのがよい。この中空収納室には電解液を充填する。
【００１６】
図８は、図１〜図３及び図６，図７に図示した充放電器１０に充電する電力供給部１２を示す説明用の平面図である。電力供給部１２に、充放電器１０の前方部１ａが挿入される差込部１２ａが形成されている。そして、差込部１２ａの内部左右には、左右一対の電力供給端子板１３，１３が、挿入された充放電器１０の入力端子板７，７に対応する位置に於て、内方へ弾発付勢するバネ１５，１５によって保持されている。電力供給端子板１３，１３は、充放電器１０の幅寸法Ｗよりも狭く離間されていて、その先端部は、充放電器１０の前方部１ａを挿入し易いように、拡開して形成されている。
【００１７】
図９は別の実施の形態を示す底面図で、図１０は正面図である。図１〜図３及び図６，図７に図示した充放電器１０との相違点は、ケース１の底面に、２極の左右一対の入力端子板７，７が付設されている点である。入力端子板７，７は、前後方向に細長の帯板状である。入力端子板７，７は、一方が正極側７ａで、他方が負極側７ｂである。
【００１８】
図１１は、図９，図１０に図示した充放電器１０に充電する電力供給部１２を示す説明用の正面図である。電力供給部１２の正面に、充放電器１０の前方部１ａが挿入される差込部１２ａが凹設されている。そして、挿入された充放電器１０の入力端子板７，７に対応する位置に於て、電力供給端子１４，１４が、上方へ弾発付勢するバネ１５，１５によって、差込部１２ａの下方内部に形成された孔部から突出するよう保持されている。
【００１９】
図１２は、横軸に時間Ｔを示し、縦軸に充放電器１０から出力される電圧の関係を示したグラフ図である。電気二重層コンデンサ部２からの出力電圧は、２点鎖線にて示すＶ１  のように、出力開始時が最大で、時間Ｔの経過と共に急激に下がっていく。この出力電圧Ｖ１  が、電圧電流制御器３によって変動を制御され、出力電圧は、Ｖ０  に示したように、時間Ｔが経過しても、設定電圧電流値に保たれる。
【００２０】
次に、充放電器１０の作用（使用）について説明する。図８に於て、充放電器１０の前方部１ａを、電力供給部１２の差込部１２ａに挿入すると、弾発付勢するバネ１５，１５によって、左右一対の電力供給端子板１３，１３が、充放電器１０の入力端子板７，７に確実に当接し、電気エネルギが、入力端子板７，７及び接続板１７，１７を介して、電気二重層コンデンサ部２へと供給される。ここで、電力供給端子板１３，１３の先端部が、拡開して形成されており、また、ケース１の前方部１ａは、左右の角部をアール状に弯曲形成されているので、充放電器１０をスムースに差込可能である。なお、図例のケース１を設計変更して、電子機器に接続される端子部１１を挿入する開口凹部１９を、ケース１の後方部に形成して、電圧電流制御器３を有する出力部１８を、ケース１の内部の後方に付設してもよい。
【００２１】
また、図１１に於ても、充放電器１０の前方部１ａを、電力供給部１２の差込部１２ａに挿入すると、上方へ弾発付勢するバネ１５，１５によって、電力供給端子１４，１４が、充放電器１０の入力端子板７，７に確実に当接し、電気二重層コンデンサ部２が充電される。
【００２２】
電気二重層コンデンサ部２（充放電器１０）への充電を終えたら、充放電器１０を電力供給部１２から外して、カバンやバッグに入れ、携帯して持ち運ばれる。そして、移動先で、携帯電話や電動髭剃器等の電子機器に接続した端子部１１を、充放電器１０の出力部１８に接続すると、充放電器１０の電気二重層コンデンサ部２に蓄えられた電気エネルギが、電子機器へと供給される。ここで、図１２に於て説明したように、電子機器へは、電圧電流制御器３によってＶ０  に示したように所定の設定電圧電流値に制御された一定の電圧電流が、長時間にわたり供給される。
【００２３】
このように、充放電器１０は、従来の外装缶を有さない───裸状の───電気二重層コンデンサ部２と、電圧電流制御器３とを、同一ケース１に内蔵したものであるので、一体物の充放電器１０によって、予め電気エネルギを蓄え、その電気エネルギを一定の出力電圧にして、電子機器に供給できる。そして、持ち運びにも便利である。ケース１は偏平弁当箱形状なので、ケース１内に無駄なスペースを作らずに、電気二重層コンデンサ部２，電圧電流制御器３等の部品を内蔵でき、軽量化を図って、コンパクトな大きさ，形状に作製できる。
また、ケース１の形状は実施例に限定されず、設計変更可能で、ケース１に装飾を施したり、デザインすることで、充放電器１０を携帯する楽しみを増やすことも可能である。
【００２４】
裸状の電気二重層コンデンサ部２は、偏平直方体形状なので、上記のケース１内にコンパクトに内蔵することができる。さらに、図４に於て説明したように、正電極板４，負電極板５，絶縁紙６の材料となるシート体を何層にも積層し、切断機で切断するだけで、容易に本発明のような電気二重層コンデンサ部２を製造できるので、従来のように、コイル状に巻き付けていく等の手間が少なくなり、容易に大量生産できる。
【００２５】
また、入力端子板７，７が、ケース１の左右側面に付設されており、図８にて説明した電力供給部１２に差し込むだけで、容易に充電することができる。入力端子板７，７が、ケース１の底面に付設されていても同様で、図１１にて説明した電力供給部１２に差し込むだけで、容易に充電することができる。そして、ケース１は偏平弁当箱形状で、ケース１の前方部１ａは、左右の角部をアール状に弯曲形成されており、差し込む向き，方向を容易に分別できるので、電力供給部１２に接続する際に、入力端子板７，７の正極側７ａと負極側７ｂを間違えることはない。また、端子が突状ではないので、持ち運ぶ際に邪魔にならない。
【００２６】
【発明の効果】
本発明は、上述の構成により次のような著大な効果を奏する。
【００２７】
（請求項１によれば、）ケース１内に無駄なスペースを作らずに、電気二重層コンデンサ部２，電圧電流制御器３等の部品を内蔵できる。そして、ケース１は一重で済み、軽量化と構造の簡素化を図り得る。そして、コンパクトな大きさ，形状に作製できるので、一体物の充放電器によって、予め電気エネルギを蓄え、その電気エネルギを一定の出力電圧にして、電子機器に供給できる。このように、充放電器を、カバンやバッグに入れて携帯して持ち運び易く、出先で必要な時に、いつでも電子機器に出力電圧を供給することができて便利である。
【００２８】
（請求項２によれば、）電気二重層コンデンサ部２は、裸状で偏平直方体形状なので、上記のケース１内にコンパクトに内蔵することができ、一層充放電器のコンパクト化を図ることができる。さらに、正電極板４，負電極板５，絶縁紙の材料となるシート体を何層にも積層し、切断機で切断するだけで電気二重層コンデンサ部２を製造できるので、容易に大量生産できる。
【００２９】
（請求項３，４によれば、）電力供給部１２へ差し込んで、簡便に充電ができる。
【図面の簡単な説明】
【図１】本発明の携帯電子機器用充放電器の実施の一形態を示す斜視図である。
【図２】断面平面図である。
【図３】他の実施の形態を示す断面平面図である。
【図４】裸状電気二重層コンデンサ部の製法の説明用斜視図である。
【図５】裸状電気二重層コンデンサ部の斜視図である。
【図６】携帯電子機器用充放電器の側面図である。
【図７】正面図である。
【図８】充放電器に充電する電力供給部を示す説明用の平面図である。
【図９】別の実施の形態を示す底面図である。
【図１０】正面図である。
【図１１】充放電器に充電する電力供給部を示す説明用の正面図である。
【図１２】時間と、充放電器から出力される電圧の関係を示すグラフ図である。
【符号の説明】
１  ケース
２  電気二重層コンデンサ部
３  電圧電流制御器
４  正電極板
５  負電極板
７  入力端子板
１２  電力供給部
【図１】
2004336931.tif 000003
【図２】
2004336931.tif 000004
【図３】
2004336931.tif 000005
【図４】
2004336931.tif 000006
【図５】
2004336931.tif 000007
【図６】
2004336931.tif 000008
【図７】
2004336931.tif 000009
【図８】
2004336931.tif 000010
【図９】
2004336931.tif 000011
【図１０】
2004336931.tif 000012
【図１１】
2004336931.tif 000013
【図１２】
2004336931.tif 000014